(57)【要約】      （修正有）【課題】公衆電話回線側のインピーダンスが大きく変化する状況となっても、そのインピーダンスの変化に起因する側音信号によって生じる通話の品質低下を低減する。【解決手段】音声を入力するためのマイクロフォン３２と、音声を出力するためのスピーカ３３と、マイクロフォン３２から入力された送話信号を回線Ｌに向けて送り出すとともに、回線Ｌから送られる受話信号を取り込んでスピーカ３３に与えるための２線−４線変換部３１とを有し、試験信号としてのトーン信号を２線−４線変換部３１に対して発信するトーン信号発信部３５と、トーン信号発信部３５から発信され２線−４線変換部３１においてスピーカ３３に向けて回り込むトーン信号のレベルを検出するトーン信号検出部３６と、トーン信号検出部３６によって検出されたトーン信号のレベルに基づいて、回線Ｌ側のインピーダンスに整合させるための回路およびＣＰＵ１１とを備える。【選択図】  図１
2004221802.tif 000002
【特許請求の範囲】
【請求項１】
回線を通じて相手先と通話が可能であり、かつ音声を入力するための音声入力手段と、音声を出力するための音声出力手段と、前記音声入力手段から入力された送話信号を前記回線に向けて送り出すとともに、前記回線から送られる受話信号を取り込んで前記音声出力手段に与えるための２線４線変換手段とを有する電話装置であって、
所定の試験信号を前記２線４線変換手段に対して発信する発信手段と、
前記発信手段から発信され前記２線４線変換手段において前記音声出力手段に向けて回り込む前記試験信号のレベルを検出する検出手段と、
前記検出手段によって検出された前記試験信号のレベルに基づいて、前記回線側のインピーダンスに整合させるためのインピーダンス整合手段と、
を備えることを特徴とする、電話装置。
【請求項２】
前記２線４線変換手段は、複数の回路素子を含んでおり、
前記インピーダンス整合手段は、前記２線４線変換手段における前記回路素子の回路定数を変化させることにより、前記回線側のインピーダンスに整合させる、請求項１に記載の電話装置。
【請求項３】
前記インピーダンス整合手段は、
前記２線４線変換手段における前記回路素子に対してそれぞれ設けられ、前記回路素子の回路定数をそれぞれ変化させるための複数のスイッチ手段と、
上記複数のスイッチ手段を選択的にオン、オフする制御手段とによって構成されている、請求項２に記載の電話装置。
【請求項４】
前記制御手段は、前記検出手段によって検出された前記試験信号のレベルが最小となるときの、前記スイッチ手段のオン、オフの組み合わせを選択することにより、前記回線側のインピーダンスに整合させる、請求項３に記載の電話装置。
【請求項５】
前記発信手段は、前記試験信号として単一の周波数のトーン信号を発信する、請求項１ないし４のいずれかに記載の電話装置。
【請求項６】
前記発信手段は、前記試験信号として複数種類の互いに異なる周波数のトーン信号をそれぞれ発信するものであり、
前記インピーダンス整合手段は、各周波数のトーン信号によって検出されるレベルを考慮して前記回線側のインピーダンスに整合させる、請求項１ないし４のいずれかに記載の電話装置。
【発明の詳細な説明】
【０００１】
【発明の属する技術分野】
本願発明は、たとえば公衆電話回線を通じて相手先と通話が可能な電話装置に関する。
【０００２】
【従来の技術】
従来より、たとえば一般家庭における電話装置は公衆電話回線に接続されている。最近では、たとえば公衆電話回線を通じてインターネットなどを利用してデータ通信を行う場合、ＡＤＳＬ（Ａｓｙｍｍｅｔｒｉｃ  Ｄｉｇｉｔａｌ  Ｓｕｂｓｃｒｉｂｅｒ  Ｌｉｎｅ）と呼称される高速データ通信技術が電話装置および公衆電話回線に適用される。
【０００３】
図６は、電話装置および公衆電話回線にＡＤＳＬが適用された場合のシステムの一例を示す図である。このシステムでは、電話装置１と公衆電話回線Ｌとの間にスプリッタ２が介在され、スプリッタ２にＡＤＳＬ用モデム３が接続され、ＡＤＳＬ用モデム３にパーソナルコンピュータ４が接続されている。なお、電話装置１には、ファクシミリ装置が適用されてもよい。
【０００４】
スプリッタ２は、公衆電話回線Ｌから送られる音声信号とデータ信号とを分離する、または電話装置１およびＡＤＳＬ用モデム３から与えられる音声信号およびデータ信号とを合成するためのものである。スプリッタ２は、いわゆるローパスフィルタとして機能し、たとえば公衆電話回線Ｌから１ＭＨｚ以上の周波数帯域のデータ信号が到達すると、このデータ信号をカットし、データ信号が電話装置１に送られないようにするものである。
【０００５】
【発明が解決しようとする課題】
ところが、上記スプリッタ２を電話装置１と公衆電話回線Ｌとの間に介在させると、電話装置１から公衆電話回線Ｌ側を見たときのインピーダンスが変化する場合がある。すなわち、スプリッタ２を介在させない場合、電話装置１から公衆電話回線Ｌ側を見たときのインピーダンスが約６００Ωとされているが、上記スプリッタ２を介在させると、介在されるスプリッタ２の性能によっては、電話装置１から公衆電話回線Ｌ側を見たときのインピーダンスが大幅に変化することがある。通常、電話装置１は上記公衆電話回線Ｌ側のインピーダンスと整合するように設定されており、上記のように、インピーダンスが変化してインピーダンスの整合がとれない場合には、電話装置１において、マイクロフォン（図示略）からの送話信号がスピーカ（図示略）に回り込むことがあり、送話信号が受話信号に混在し、良好な通話ができなくなるといった不具合を生じる。
【０００６】
ところで、送話器から入った音声や周囲の雑音が受話器に回り込み、受話信号が聞き取り難くなるという問題を解決する技術として、従来、所定周波数の試験信号を送話器側から入力する一方、受話出力アンプを介して受話器側に出力されるその試験信号を受話出力アンプの出力端で検出し、その出力レベルが適正となるように受話出力アンプのゲインを調整する技術が提案されている（たとえば、特許文献１参照）。
【０００７】
【特許文献１】
特開２００１−５３８６３号公報
【０００８】
しかし、この技術は、受話出力アンプのゲインを調整するだけであるから、送話器側から回り込んだ送話信号（雑音を含む。以下、側音信号という。）と電話回線から送られてきた受話信号との両方が、受話出力アンプによって増幅されるため、側音信号の受話信号に対するレベルが比較的高い場合は、側音信号が十分に抑制されないという問題がある。特に、電話装置にＡＤＳＬ用のスプリッタが接続されるなどして当該電話装置から公衆電話回線側を見たインピーダンスが大きく変動するような場合は、そのインピーダンスの変動に応じて受話器側に回り込む側音信号の周波数特性も大きく変化するため、受話出力アンプのゲインを調整するだけでは、実際に使用される電話装置の設置状況に応じて十分な側音抑制効果を達成することは困難である。
【０００９】
本願発明は、上記の点に鑑みて提案されたものであって、電話装置の設置状況が、たとえば電話装置にＡＤＳＬのスプリッタなどが接続され、当該電話装置から公衆電話回線側のインピーダンスが大きく変化する状況となっても、そのインピーダンスの変化に起因する側音信号によって生じる通話の品質低下を低減することのできる電話装置を提供することを目的とする。
【００１０】
【課題を解決するための手段】
上記目的を達成するために、請求項１に記載した発明の電話装置は、回線を通じて相手先と通話が可能であり、かつ音声を入力するための音声入力手段と、音声を出力するための音声出力手段と、前記音声入力手段から入力された送話信号を前記回線に向けて送り出すとともに、前記回線から送られる受話信号を取り込んで前記音声出力手段に与えるための２線４線変換手段とを有する電話装置であって、所定の試験信号を前記２線４線変換手段に対して発信する発信手段と、前記発信手段から発信され前記２線４線変換手段において前記音声出力手段に向けて回り込む前記試験信号のレベルを検出する検出手段と、前記検出手段によって検出された前記試験信号のレベルに基づいて、前記回線側のインピーダンスに整合させるためのインピーダンス整合手段と、を備えることを特徴としている。
【００１１】
このような電話装置によれば、発信手段から発信される試験信号は、２線４線変換手段において音声出力手段に向けて回り込み、検出手段によってそのレベルが検出される。そして、その検出レベルに基づいて、インピーダンス整合手段によって回線側のインピーダンスに整合させる。そのため、たとえばこの電話回線と公衆電話回線との間に、回線インピーダンスに影響を与える、ＡＤＳＬのスプリッタが介在された場合であっても、インピーダンス整合手段によって回線側のインピーダンスに整合させることにより、そのインピーダンスの変化に起因する側音信号によって生じる通話の品質低下を低減することができ、良好な通話を行うことができる。
【００１２】
また、請求項２に記載した発明の電話装置は、請求項１に記載の電話装置であって、前記２線４線変換手段は、複数の回路素子を含んでおり、前記インピーダンス整合手段は、前記２線４線変換手段における前記回路素子の回路定数を変化させることにより、前記回線側のインピーダンスに整合させる。
【００１３】
このような電話装置によれば、請求項１に記載の電話装置による効果に加え、２線４線変換手段における回路素子の回路定数を変化させることにより、回線側のインピーダンスに整合させることができるので、回路定数を変化させるといった容易な処理で回線側のインピーダンスとの整合を行うことができる。
【００１４】
また、請求項３に記載した発明の電話装置は、請求項２に記載の電話装置であって、前記インピーダンス整合手段は、前記２線４線変換手段における前記回路素子に対してそれぞれ設けられ、前記回路素子の回路定数をそれぞれ変化させるための複数のスイッチ手段と、上記複数のスイッチ手段を選択的にオン、オフする制御手段とによって構成されている。
【００１５】
このような電話装置によれば、請求項２に記載の電話装置による効果に加え、制御手段によって複数のスイッチ手段を選択的にオン、オフすることにより、回路素子の回路定数をそれぞれ変化させることができるので、回線側のインピーダンスとの整合を、簡易な構成で実現することができる。
【００１６】
また、請求項４に記載した発明の電話装置は、請求項３に記載の電話装置であって、前記制御手段は、前記検出手段によって検出された前記試験信号のレベルが最小となるときの、前記スイッチ手段のオン、オフの組み合わせを選択することにより、前記回線側のインピーダンスに整合させる。
【００１７】
このような電話装置によれば、請求項３に記載の電話装置による効果に加え、制御手段は、検出手段によって検出された試験信号のレベルが最小となるとき、スイッチ手段のオン、オフの組み合わせを選択するので、実際の音声信号が音声信号出力手段側に回りこんだときのその音声信号による雑音を最小限に抑えることができる。
【００１８】
また、請求項５に記載した発明の電話装置は、請求項１ないし４のいずれかに記載の電話装置であって、前記発信手段は、前記試験信号として単一の周波数のトーン信号を発信する。
【００１９】
このような電話装置によれば、請求項１ないし４のいずれかに記載の電話装置による効果に加え、発信手段が発信する試験信号は、単一の周波数のトーン信号とされるので、このトーン信号の周波数を適当な値に設定すれば、可聴域の全周波数について検出手段による試験信号のレベルの検出を行わなくてもよく、制御が容易となる。
【００２０】
また、請求項６に記載した発明の電話装置は、請求項１ないし４のいずれかに記載の電話装置であって、前記発信手段は、前記試験信号として複数種類の互いに異なる周波数のトーン信号をそれぞれ発信するものであり、前記インピーダンス整合手段は、各周波数のトーン信号によって検出されるレベルを考慮して前記回線側のインピーダンスに整合させる。
【００２１】
このような電話装置によれば、請求項１ないし４のいずれかに記載の電話装置による効果に加え、複数種類の互いに異なる周波数のトーン信号に基づいて、検出手段による試験信号のレベルの検出が行なわれるので、広範囲の周波数帯域において検出レベルを把握でき、回線のインピーダンスとの整合を厳密にかつ適切に行うことができる。
【００２２】
【発明の実施の形態】
以下、本願発明の好ましい実施の形態について添付図面を参照して説明する。
【００２３】
以下の説明では、従来の技術の欄で説明した図６を再び参照する。本願発明に係る電話装置としてのファクシミリ装置が適用されるシステムは、図６に示すように、いわゆるＡＤＳＬが適用された構成とされており、ファクシミリ装置１と、このファクシミリ装置１に接続されたスプリッタ２と、このスプリッタ２に接続されたＡＤＳＬ用モデム３と、このＡＤＳＬ用モデム３に接続されたパーソナルコンピュータ４とを備えている。そして、スプリッタ２には、公衆電話回線Ｌ（以下、単に「回線Ｌ」という。）が接続されている。
【００２４】
ファクシミリ装置１は、図示されていないが、たとえばインクジェット方式の印刷機能、画像読取機能（スキャナ機能）、および画像の通信機能などの各機能を複合的に備えたものである。ファクシミリ装置１は、たとえばファクシミリデータ信号を送信するときには、画像読取機能を用いて原稿を読み取り、読み取った原稿データを通信機能によって送り先に送信する。また、通信機能によってファクシミリデータ信号を受信したときには、印刷機能を用いてファクシミリデータ信号の内容を所定の記録用紙に印字する。なお、このファクシミリ装置１は、たとえばパーソナルコンピュータ４に接続された状態で独立した形で印刷装置やスキャナとして利用することもできる。また、印刷機能と画像読取機能とを連動させることで、コピー機として利用することもできる。また、ハンドセット（後述）を用いて回線Ｌを通じて相手先と通話を行うことができる。
【００２５】
スプリッタ２は、回線Ｌから送られる音声信号とデータ信号とを分離する、またはファクシミリ装置１およびＡＤＳＬ用モデム３から与えられる音声信号およびデータ信号とを合成するためのものであり、たとえばコンデンサおよびコイル（いずれも図示略）からなるローパスフィルタによって構成されている。通常、受話信号は、たとえば３００〜３４００Ｈｚの周波数帯域を有する可聴音声信号によって構成され、上記スプリッタ２は、この受話信号が回線Ｌから送られると、それを通過させ、それ以外の周波数帯域を有する信号を阻止する。そのため、ファクシミリ装置１側には、可聴域の受話信号が入力され、ＡＤＳＬ用モデム３側には、それ以外の周波数帯域を有する信号が入力される。
【００２６】
ＡＤＳＬ用モデム３は、パーソナルコンピュータ４において処理される通信用のデータ信号の変復調を行うものである。
【００２７】
パーソナルコンピュータ４は、たとえば１チップのマイクロコンピュータを備え、インターネットを通じて送られるホームページの画像データやメールデータなどの通信用のデータ信号を処理する装置である。
【００２８】
図１は、ファクシミリ装置１の内部構成を示す図である。ファクシミリ装置１は、ＣＰＵ１１、ＲＡＭ１２、ＲＯＭ１３、ゲートアレイ１４、ＮＶＲＡＭ（不揮発性ＲＡＭ：Ｎｏｎ−Ｖｏｌａｔｉｌｅ  ＲＡＭ）１５、コーデック１６、ＤＭＡＣ１７およびモデム１８を備え、それらは、バス１９により相互に接続されている。バス１９には、アドレスバス、データバスおよび制御信号線が含まれる。また、このファクシミリ装置１では、ゲートアレイ１４に、原稿読取部２１、記録部２２、操作部２３、および表示部２４が接続されて具備されている。
【００２９】
モデム１８には、２線−４線変換部３１（本願発明における２線４線変換手段に相当）が接続され、２線−４線変換部３１には、上述した回線Ｌが接続されている。また、２線−４線変換部３１には、マイクロフォン３２（本願発明における音声入力手段に相当）およびスピーカ３３（本願発明における音声出力手段に相当）を備えたハンドセット３４が接続されている。なお、図示していないが、このファクシミリ装置１には、回線Ｌに接続されることにより網制御を行うＮＣＵ（Ｎｅｔｗｏｒｋ  Ｃｏｎｔｒｏｌ  Ｕｎｉｔ）が設けられている。
【００３０】
ＣＰＵ１１は、ファクシミリ装置１全体の動作を制御するものである。ＲＡＭ１２は、ＣＰＵ１１の作業領域などを提供するものである。ＲＯＭ１３は、ＣＰＵ１１が実行すべきプログラムなどを記憶するものである。特に、本実施形態では、ＲＯＭ１３に、図２に示すように、２線−４線変換部３１の後述するアナログスイッチＳＷ１〜ＳＷ７に対するオン、オフ設定を示すデータがスイッチ設定テーブルの形で記憶されている。
【００３１】
すなわち、本実施形態に係るＣＰＵ１１は、上記スイッチ設定テーブルを用いて、各アナログスイッチＳＷ１〜ＳＷ７に対して複数種類のオン、オフ設定を行い、回線Ｌ側のインピーダンスが好適となるときのアナログスイッチＳＷ１〜ＳＷ７のオン、オフの組み合わせを選択する。この詳細については、後述する。また、ＣＰＵ１１は、モデム１８に対して、試験信号としてのトーン信号を発信する指示を行う。なお、ＣＰＵ１１は、本願発明における制御手段に相当する。
【００３２】
ゲートアレイ１４は、ＣＰＵ１１と各部２１〜２４とのインターフェイスとして機能するものである。ＮＶＲＡＭ１５は、データや各種の情報を記憶するものである。コーデック１６は、音声信号やファクシミリデータ信号などの符号化や復号化を行うものである。ＤＭＡＣ１７は、主にＲＡＭ１２へのデータの書き込みや読み出しを行うものである。
【００３３】
モデム１８は、ファクシミリデータ信号の変調や復調などを行うものである。本実施形態におけるモデム１８は、試験信号としてのトーン信号を発信するためのトーン信号発信部３５（本願発明における発信手段に相当）と、発信されたトーン信号を検出するためのトーン信号検出部３６（本願発明における検出手段に相当）とが設けられている。
【００３４】
トーン信号発信部３５は、単一の周波数（たとえば１０００Ｈｚ）のトーン信号を発信出力するためのものである。トーン信号発信部３５の出力端子は、ハンドセット３４のマイクロフォン３２から入力される音声信号などが２線−４線変換部３１に導かれる送信側ラインＴＬに接続される。トーン信号発信部３５は、ＣＰＵ１１の指示によってトーン信号を発信出力する。なお、トーン信号発信部３５は、複数種類の互いに異なる周波数のトーン信号を発信出力するものであってもよい。
【００３５】
トーン信号検出部３６は、トーン信号発信部３５から出力され、２線−４線変換部３１を通じて回り込んできたトーン信号を検出するためのものである。トーン信号発信部３５の入力端子は、ハンドセット３４のスピーカ３３に出力するための、回線Ｌから送られる音声信号などが導かれる受信側ラインＲＬに接続される。トーン信号検出部３６によって検出されたトーン信号の検出値は、ＣＰＵ１１に与えられる。
【００３６】
２線−４線変換部３１は、マイクロフォン３２から入力される音声信号（送話信号）を回線Ｌに向けて送り出すとともに、回線Ｌから送られる音声信号（受話信号）を取り込んでスピーカ３３に与えるためのものである。この２線−４線変換部３１の詳細については後述する。
【００３７】
原稿読取部２１は、たとえばイメージセンサ、ＬＥＤ光源、および原稿送りモータ（いずれも図示せず）などを備え、ＣＰＵ１１の制御に応じてファクシミリ原稿などからイメージ画像を読み取るものである。
【００３８】
記録部２２は、感熱方式またはインクジェット方式などにより文字や図形などの画像を、ＣＰＵ１１からの指令に基づいてモノクロまたはカラーで印刷するものである。
【００３９】
操作部２３は、図示しないが、ダイヤルキー、ジョグダイヤルキー、およびその他の操作キーなどを備え、ユーザのキー操作による入力信号をＣＰＵ１１に伝えるものである。
【００４０】
表示部２４は、図示しないが、たとえば液晶ディスプレイパネルを備え、この液晶ディスプレイパネルに対して、ＣＰＵ１１からの指令に基づいて動作状態や操作ガイダンスなどを表示するものである。
【００４１】
図３は、２線−４線変換部３１の回路構成を示す図である。この２線−４線変換部３１は、トランス回路４１と、受信アンプ回路４２と、送信アンプ回路４３と、音声信号とデータ信号とを切り換えるための切換回路４４と、インピーダンス整合回路４５（本願発明におけるインピーダンス整合手段に相当）とによって構成されている。
【００４２】
トランス回路４１は、回線Ｌと電気的に絶縁するための回路であり、回線Ｌに１次側が接続されたライントランスＬＴと、ライントランスＬＴの２次側に接続され、信号の直流分をカットするための結合用コンデンサＣ１とによって構成されている。このライントランスＬＴは、その巻線比が１：１とされている。
【００４３】
受信アンプ回路４２は、回線Ｌから送られたデータ信号および受話信号を所定のレベルに増幅するとともに、所定の周波数帯域を通過させるローパスフィルタの機能を有するものである。受信アンプ回路４２は、ＯＰアンプＡ１と、その負極側入力端子に接続された抵抗Ｒ１と、正極側入力端子に接続された抵抗Ｒ２と、負極側入力端子と出力端子との間に介在された抵抗Ｒ３およびコンデンサＣ２と、出力端子に接続された抵抗Ｒ４と、出力端子とグランドとの間に介在された抵抗Ｒ５とによって構成されている。
【００４４】
送信アンプ回路４３は、モデム１８から送出されるデータ信号またはハンドセット３４から送出される送話信号を所定のレベルに増幅するとともに、所定の周波数帯域を通過させるローパスフィルタの機能を有するものである。送信アンプ回路４３は、ＯＰアンプＡ２と、その負極側入力端子に接続された抵抗Ｒ６と、正極側入力端子に接続された抵抗Ｒ７と、正極側入力端子とグランドとの間に介在されたコンデンサＣ３と、負極側入力端子と出力との間に介在された抵抗Ｒ８およびコンデンサＣ４と、出力に接続され、信号直流分をカットするための結合用コンデンサＣ５とによって構成されている。正極側入力端子に接続された抵抗Ｒ７には、直流電圧（たとえばＤＣ５Ｖ）が供給されている。
【００４５】
切換回路４４は、データ信号および送受話信号を切り換えるためのものであり、受信側ラインＲＬおよび送信側ラインＴＬのそれぞれに接続された２つのスイッチＳ１，Ｓ２によって構成され、２つのスイッチＳ１，Ｓ２は、ＣＰＵ１１の指令によって切り換えられる。
【００４６】
具体的には、受信側ラインＲＬに接続されたスイッチＳ１は、回線Ｌからの信号に応じて、回線Ｌからの信号をモデム１８に与えるか、ハンドセット３４のスピーカ３３に与えるかを切り換えるものである。この場合、回線Ｌからの信号がデータ信号のとき、モデム１８側に切り換わり、回線Ｌからの信号が受話信号のとき、ハンドセット３４側に切り換わる。
【００４７】
また、送信側ラインＴＬに接続されたスイッチＳ２は、モデム１８またはハンドセット３４からの信号に応じて、送信側ラインＴＬをモデム１８に接続するか、ハンドセット３４に接続するかを切り換えるものである。この場合、このスイッチＳ２を介して送出される信号がモデム１８からのデータ信号のとき、モデム１８側に切り代わり換わり、送出される信号が受話信号のとき、ハンドセット３４側に切り換わる。
【００４８】
インピーダンス整合回路４５は、ファクシミリ装置１から回線Ｌ側を見たインピーダンスに整合させるためのものであり、その基本構成として複数の抵抗Ｒ１１〜Ｒ１４、および複数のコンデンサＣ６〜Ｃ８を有している。具体的な接続構成としては、送信アンプ回路４３の結合用コンデンサＣ５が抵抗Ｒ１１の一端に接続され、抵抗Ｒ１１の他端は、トランス回路４１の結合用コンデンサＣ１に接続されているとともに、受信アンプ回路４２の抵抗Ｒ１に接続されている。
【００４９】
すなわち、送信アンプ回路４３において増幅された音声信号またはデータ信号は、結合用コンデンサＣ５、インピーダンス整合回路４５の抵抗Ｒ１１、トランス回路４１の結合用コンデンサＣ１、およびライントランスＬＴを介して回線Ｌに送出される。また、回線Ｌから送られた音声信号またはデータ信号は、トランス回路４１のライントランスＬＴ、結合用コンデンサＣ１、受信アンプ回路４２の抵抗Ｒ１、ＯＰアンプＡ１および抵抗Ｒ４を介して切換回路４４に取り込まれる。
【００５０】
インピーダンス整合回路４５の抵抗Ｒ１１〜Ｒ１４は直列的に接続され、抵抗Ｒ１４には、リファレンス電圧ＲＥＦが供給される。各抵抗Ｒ１２〜Ｒ１４には、それぞれコンデンサＣ６〜Ｃ８が並列に接続されている。また、抵抗Ｒ１２，Ｒ１３（またはコンデンサＣ６，Ｃ７）の中点は、受信アンプ回路４２の抵抗Ｒ２の一端に接続されている。
【００５１】
インピーダンス整合回路４５は、さらに、各抵抗Ｒ１１〜Ｒ１４および各コンデンサＣ６〜Ｃ８に対してそれぞれ並列に接続された、複数の第１ないし第７アナログスイッチＳＷ１〜ＳＷ７（本願発明におけるスイッチ手段に相当）と、複数の抵抗Ｒ１６〜Ｒ１９および複数のコンデンサＣ１１〜Ｃ１３とを有している。上記アナログスイッチＳＷ１〜ＳＷ７は、ＣＰＵ１１による指令によってそれぞれオン、オフされる。
【００５２】
具体的な接続構成としては、各アナログスイッチＳＷ１〜ＳＷ７には、各抵抗Ｒ１６〜Ｒ１９および各コンデンサＣ１１〜Ｃ１３がそれぞれ直列に接続され、第１ないし第４アナログスイッチＳＷ１〜ＳＷ４と各抵抗Ｒ１６〜Ｒ１９との各対構成が上記インピーダンス整合回路４５の各抵抗Ｒ１１〜Ｒ１４に対して並列に接続されている。また、第５ないし第７アナログスイッチＳＷ５〜ＳＷ７と各コンデンサＣ１１〜Ｃ１３との各対構成が上記インピーダンス整合回路４５の各コンデンサＣ６〜Ｃ８に対して並列に接続されている。
【００５３】
この構成によれば、たとえば第１アナログスイッチＳＷ１がオンされると、抵抗Ｒ１１と抵抗Ｒ１６とが並列に接続された回路が構築される。これにより、抵抗Ｒ１１の両端における抵抗値が変化される。また、たとえば第２アナログスイッチＳＷ２がオンされると、抵抗Ｒ１２と抵抗Ｒ１７とが並列に接続された回路が構築される。これにより、抵抗Ｒ１２の両端における抵抗値が変化される。
【００５４】
すなわち、各アナログスイッチＳＷ１〜ＳＷ７が選択的にオン、オフ設定されることにより、各抵抗Ｒ１６〜Ｒ１９および各コンデンサＣ１１〜Ｃ１３が並列に接続されて、各抵抗Ｒ１１〜Ｒ１４および各コンデンサＣ６〜Ｃ８の抵抗値および容量値がそれぞれ変化されることになる。
【００５５】
本実施形態では、たとえばモデム１８のトーン信号発信部３５から発信される試験信号を、インピーダンス整合回路４５を介してトーン信号検出部３６において検出するようにし、インピーダンス整合回路４５の各アナログスイッチＳＷ１〜ＳＷ７をＣＰＵ１１によって選択的にオン、オフ設定し、本来の各抵抗Ｒ１１〜Ｒ１４および各コンデンサＣ６〜Ｃ８の抵抗値および容量値を変化させることにより、トーン信号検出部３６におけるトーン信号の検出レベルが最低となる、各抵抗Ｒ１１〜Ｒ１４および各コンデンサＣ６〜Ｃ８のオン、オフの組み合わせを選択するようにしている。
【００５６】
これにより、図６に示したように、回線Ｌとファクシミリ装置１との間に、スプリッタ２を介在させることにより回線Ｌ側のインピーダンスに変化が生じても、ハンドセット３４のマイクロフォン３３から入力された音声信号がスピーカ３３に回り込むことが抑制されるように、ファクシミリ装置１から見た回線Ｌ側のインピーダンスに整合させることができる。
【００５７】
以下、上記構成におけるファクシミリ装置１の制御動作を、図４に示すフローチャートを参照して説明する。なお、以下に示す制御動作は、たとえばファクシミリ装置１が工場から出荷されて一般家庭内に配置され、電源が投入された場合の初期設定時に行われるものである。
【００５８】
まず、単一のトーン信号（たとえば１０００Ｈｚ）を用いて回線Ｌ側のインピーダンスに整合させる場合の制御動作を説明する。図４に示すように、ＣＰＵ１１は、電源が投入されたとき、所定の初期設定を行い、そのひとつとして、アナログスイッチＳＷ１〜ＳＷ７の設定番号を示すｎを「０」とおき、それをＲＡＭ１２に記憶させる（Ｓ１）。
【００５９】
次いで、ＣＰＵ１１は、モデム１８に対して試験信号としてのトーン信号を出力させる指令を出力する（Ｓ２）。モデム１８は、上述したＣＰＵ１１からの指令により、トーン信号発信部３５からトーン信号を送信アンプ回路４３に対して送出する。モデム１８のトーン信号発信部３５から出力されたトーン信号は、送信アンプ回路４３によって所定のレベルに増幅され、インピーダンス整合回路４５を介して受信アンプ回路４２に回り込む。
【００６０】
次に、ＣＰＵ１１は、アナログスイッチＳＷ１〜ＳＷ７の設定番号ｎをＲＡＭ１２から読み出し、読み出した設定番号ｎに「１」を加え（Ｓ３）、再度、ＲＡＭ１２に記憶させる。そして、ＣＰＵ１１は、ＲＯＭ１３に記憶されているスイッチ設定テーブル（図２参照）を参照して、インピーダンス整合回路４５における各アナログスイッチＳＷ１〜ＳＷ７のオン、オフ設定を読み出す（Ｓ４）。ここで、ＣＰＵ１１は、ＲＡＭ１２において設定番号ｎ＝１が記憶されているため、スイッチ設定テーブルから第１の設定についての各アナログスイッチＳＷ１〜ＳＷ７のオン、オフ設定を読み出す。
【００６１】
そして、ＣＰＵ１１は、読み出したオン、オフ設定に基づいて、インピーダンス整合回路４５の各アナログスイッチＳＷ１〜ＳＷ７に対して、オン信号またはオフ信号を出力する。これにより、インピーダンス整合回路４５の各アナログスイッチＳＷ１〜ＳＷ７は、オンまたはオフに設定される（Ｓ５）。たとえば、スイッチ設定テーブルにおける第１の設定は、図２に示すように、全ての各アナログスイッチＳＷ１〜ＳＷ７がオフ（「０」）であるため、インピーダンス整合回路４５の各アナログスイッチＳＷ１〜ＳＷ７は、オフに設定される。
【００６２】
受信アンプ回路４２に回り込んだトーン信号は、モデム１８のトーン信号検出部３６によってそのレベルが検出され、その値はＣＰＵ１１に送られる。ＣＰＵ１１は、モデム１８から送られたトーン信号のレベルの値を取得する（Ｓ６）。
【００６３】
次いで、ＣＰＵ１１は、前回までに検出されＲＡＭ１２に記憶されていたトーン信号のレベルの値と、今回検出したトーン信号のレベルの値とを比較し（Ｓ７）、今回検出したトーン信号のレベルの値が前回までに検出され記憶されていたトーン信号のレベルの値より高いか否かの判別を行う（Ｓ８）。そして、今回検出したトーン信号のレベルの値が前回までに検出され記憶されていたトーン信号のレベルの値より低い場合（Ｓ８：ＮＯ）、今回検出したトーン信号のレベルの値を新たにＲＡＭ１３に記憶させる（Ｓ９）。また、同時に、そのときのアナログスイッチＳＷ１〜ＳＷ７のオン、オフ設定（または設定番号ｎ）を記憶させる。これにより、検出レベルが最も低いときの、アナログスイッチＳＷ１〜ＳＷ７のオン、オフ設定が記憶されることになる。
【００６４】
ステップＳ９において、今回検出したトーン信号のレベルの値をＲＡＭ１３に記憶するか、または今回検出したトーン信号のレベルの値が前回までに検出され記憶されていたトーン信号のレベルの値より高い場合（Ｓ９：ＹＥＳ）、設定番号ｎが「１２８」であるか否かを判別する（Ｓ１０）。設定番号ｎが「１２８」でない場合（Ｓ８：ＮＯ）、ステップＳ２に戻る。ステップＳ２では、ステップＳ３で設定番号ｎ（＝１）に「１」が加えられ、ｎ＝２がＲＡＭ１２に記憶される。すなわち、スイッチ設定テーブルの第２の設定について、上述したと同様の手順で、アナログスイッチＳＷ１〜ＳＷ７のオン、オフ設定をＲＯＭ１３から読み出し、それに基づいて各アナログスイッチＳＷ１〜ＳＷ７がオン、オフ設定される。
【００６５】
たとえば、第２の設定では、第１アナログスイッチＳＷ１のみオンとされ、第１アナログスイッチＳＷ１以外の第２ないし第７アナログスイッチＳＷ２〜ＳＷ７は、オフとされる。この場合も、トーン信号発信部３５から発信されたトーン信号のレベルをトーン信号検出部３６において検出し、今回検出したトーン信号のレベルの値が前回までに検出され記憶されていたトーン信号のレベルの値より高いか否かを比較し、低い方のレベル値をＲＡＭ１２に記憶していく。
【００６６】
ステップＳ１０において、設定番号ｎが「１２８」である場合（Ｓ１０：ＹＥＳ）、すなわち、第１ないし第７アナログスイッチＳＷ１〜ＳＷ７の全ての組み合わせについてトーン信号を検出した場合、ＲＡＭ１２に最終的に記憶されていた、第１ないし第７アナログスイッチＳＷ１〜ＳＷ７のオン、オフ設定の組み合わせを読み出す。この場合、ＲＡＭ１２には、検出レベルが最も低かったときの第１ないし第７アナログスイッチＳＷ１〜ＳＷ７のオン、オフ設定の組み合わせが記憶されているため、そのオン、オフ設定の組み合わせに基づいて、各第１ないし第７アナログスイッチＳＷ１〜ＳＷ７のオン、オフを決定する（Ｓ１２）。
【００６７】
このようにして、第１ないし第７アナログスイッチＳＷ１〜ＳＷ７のオン、オフ設定の組み合わせのうち、トーン信号検出部３６において検出された最も低いレベルの値であった第１ないし第７アナログスイッチＳＷ１〜ＳＷ７のオン、オフ設定の組み合わせを選択することができる。
【００６８】
このような処理により、送信側ラインＴＬを通じて送出される送話信号がインピーダンス整合回路２５を介して受信側ラインＲＬに回り込むのを、可及的に抑制することができる。すなわち、ファクシミリ装置１から見た回線Ｌ側のインピーダンスに適切に整合させることができ、図６に示したように、回線インピーダンスに影響を与えるスプリッタ２が介在された場合であっても、インピーダンス整合回路４５によって回線Ｌ側のインピーダンスに整合させることにより、良好な通話を行うことができる。
【００６９】
また、上記構成によれば、インピーダンス整合回路４５における抵抗Ｒ１１〜Ｒ１４およびコンデンサＣ１１〜Ｃ１４といった回路素子の回路定数を変化させることにより、回線Ｌ側のインピーダンスに整合させることができるので、回路定数を変化させるといった簡単な処理で回線Ｌ側のインピーダンスとの整合を行うことができる。
【００７０】
また、ＣＰＵ１１によって第１ないし第７アナログスイッチＳＷ１〜ＳＷ７を選択的にオン、オフすることにより、回路素子の回路定数をそれぞれ変化させることができるので、回線Ｌ側のインピーダンスとの整合を、簡易な構成で実現することができる。
【００７１】
また、ＣＰＵ１１は、トーン信号検出部３６によって検出された試験信号のレベルが最小となるとき、第１ないし第７アナログスイッチＳＷ１〜ＳＷ７のオン、オフの組み合わせを選択するので、実際の音声信号がスピーカ３３側に回りこんだときのその音声信号による雑音を最小限に抑えることができる。
【００７２】
なお、上記実施形態では、インピーダンス整合回路４５の各抵抗Ｒ１１〜Ｒ１４および各コンデンサＣ６〜Ｃ８の抵抗値および容量値を変化させるとき、各アナログスイッチＳＷ１〜ＳＷ７を自動でオン、オフ設定するようにしたが、たとえばこれらの処理に代えてアッテネータやトリマといった可変用の部品を用いることも可能である。しかしながら、これらの部品は、ユーザが手動で調整する必要があるため、自動で行われる本実施形態の制御がより望ましいと言える。
【００７３】
また、上記実施形態では、第１ないし第７アナログスイッチＳＷ１〜ＳＷ７のオン、オフ設定の組み合わせの全てについて、トーン信号検出部３６においてレベルを検出し、トーン信号検出部３６において最小のレベルの値となる組み合わせを選択するようにしたが、これに代えて、たとえばしきい値としてのレベル値を予め設定しておき、そのしきい値以下になった、第１ないし第７アナログスイッチＳＷ１〜ＳＷ７のオン、オフ設定の組み合わせを、最終的な第１ないし第７アナログスイッチＳＷ１〜ＳＷ７のオン、オフ設定として取得してもよい。
【００７４】
すなわち、第１ないし第７アナログスイッチＳＷ１〜ＳＷ７のオン、オフ設定の組み合わせについて順次、トーン信号検出部３６におけるレベルの値を検出していき、最初にしきい値以下となったオン、オフ設定の組み合わせを、最終的な第１ないし第７アナログスイッチＳＷ１〜ＳＷ７のオン、オフ設定として取得する。
【００７５】
この制御は、上記しきい値が実際に通話を行った際に、支障のない程度の検出レベル値であることに基づいて行われるものである。このようにすれば、第１ないし第７アナログスイッチＳＷ１〜ＳＷ７のオン、オフ設定の組み合わせの全てについて、レベルを検出して、最小のレベルの値となるオン、オフ設定の組み合わせを選択しなくてもよく、制御が簡素化できるといった利点を有する。
【００７６】
また、上記実施形態では、単一のトーン信号（たとえば１０００Ｈｚ）を用いて回線Ｌ側のインピーダンスに整合させる場合の制御動作について説明したが、これに代えて、複数種類の互いに異なる周波数を用いて回線Ｌ側のインピーダンスに整合させるようにしてもよい。すなわち、トーン信号発信部３５から、互いに異なる周波数のトーン信号（たとえば５００Ｈｚ，１０００Ｈｚ，２０００Ｈｚ）を発信させ、周波数ごとに、および第１ないし第７アナログスイッチＳＷ１〜ＳＷ７のオン、オフ設定の組み合わせごとに、トーン信号検出部３６においての検出レベルをＲＡＭ１２に記憶させる。
【００７７】
この場合、図５に示すように、第１ないし第７アナログスイッチＳＷ１〜ＳＷ７のオン、オフ設定の組み合わせにおいて、設定された周波数ごとに検出レベルの変化具合が異なることがある。このようなときには、たとえば各周波数における検出レベルの値に対して重み付けを加味し、加味された値に基づいて、第１ないし第７アナログスイッチＳＷ１〜ＳＷ７のオン、オフ設定の組み合わせのうち、どの組み合わせが適当かを判断するようにしてもよい。
【００７８】
たとえば、トーン信号の周波数を５００Ｈｚ，１０００Ｈｚ，２０００Ｈｚと設定した場合、ユーザが最も聴きやすいとされる１０００Ｈｚにおける検出レベルの値に対してたとえば定数「０．８」を掛け合わすようにし、５００Ｈｚおよび２００Ｈｚにおける検出レベルの値に対してたとえば定数「１」を掛け合わすようにし、掛け合わした各値を評価するようにしてもよい。なお、選択される周波数は、上記のように、３つに限るものではない。また、重み付けの定数も、上記した値に限るものではない。
【００７９】
このように、複数種類の互いに異なる周波数のトーン信号についてレベルが検出されるので、広範囲の周波数帯域において検出レベルを把握でき、回線Ｌ側のインピーダンスとの整合を厳密にかつ適切に行うことができる。
【００８０】
なお、本願発明は、上記実施形態に限定されるものではない。たとえば、ファクシミリ装置１の内部構成は、図１に示した構成に限らない。また、２線−４線変換部３１の回路構成は、図３に示した構成に限らない。また、上記実施形態では、ファクシミリ装置１は、回線Ｌに接続されて適用されたが、これに代えて、ＩＰ電話などによるインターネット網が適用されてもよい。また、本実施形態では、たとえばＡＤＳＬのスプリッタを用いたことによって回線Ｌのインピーダンスが大きく変化する場合に適用される構成について説明したが、上記スプリッタを用いたこと以外の他の要因によって回線Ｌのインピーダンスが変化する場合に適用されてもよい。
【００８１】
【発明の効果】
以上説明したように、請求項１に記載した発明の電話装置によれば、発信手段から発信される試験信号は、２線４線変換手段において音声出力手段に向けて回り込み、検出手段によってそのレベルが検出される。そして、その検出レベルに基づいて、インピーダンス整合手段によって回線側のインピーダンスに整合される。そのため、たとえばこの電話回線と公衆電話回線との間に、回線インピーダンスに影響を与える、ＡＤＳＬのスプリッタが介在された場合であっても、インピーダンス整合手段によって回線側のインピーダンスに整合させることにより、そのインピーダンスの変化に起因する側音信号によって生じる通話の品質低下を低減することができ、良好な通話を行うことができる。
【００８２】
また、請求項２に記載した発明の電話装置によれば、請求項１に記載の電話装置による効果に加え、２線４線変換手段における回路素子の回路定数を変化させることにより、回線側のインピーダンスに整合させることができるので、回路定数を変化させるといった容易な処理で回線側のインピーダンスとの整合を行うことができる。
【００８３】
また、請求項３に記載した発明の電話装置によれば、請求項２に記載の電話装置による効果に加え、制御手段によって複数のスイッチ手段を選択的にオン、オフすることにより、回路素子の回路定数をそれぞれ変化させることができるので、回線側のインピーダンスとの整合を、簡易な構成で実現することができる。
【００８４】
さらに、請求項４に記載した発明の電話装置によれば、請求項３に記載の電話装置による効果に加え、制御手段は、検出手段によって検出された試験信号のレベルが最小となるとき、スイッチ手段のオン、オフの組み合わせを選択するので、実際の音声信号が音声信号出力手段側に回りこんだときのその音声信号による雑音を最小限に抑えることができる。
【００８５】
さらに、請求項５に記載した発明の電話装置によれば、請求項１ないし４のいずれかに記載の電話装置による効果に加え、発信手段が発信する試験信号は、単一の周波数のトーン信号とされるので、このトーン信号の周波数を適当な値に設定すれば、可聴域の全周波数について検出手段による試験信号のレベルの検出を行わなくてもよく、制御が容易となる。
【００８６】
さらに、請求項６に記載した発明の電話装置によれば、請求項１ないし４のいずれかに記載の電話装置による効果に加え、複数種類の互いに異なる周波数のトーン信号に基づいて、検出手段による試験信号のレベルの検出が行なわれるので、広範囲の周波数帯域において検出レベルを把握でき、回線側のインピーダンスとの整合を厳密にかつ適切に行うことができる。
【図面の簡単な説明】
【図１】本願発明に係る電話装置としてのファクシミリ装置の内部構成を示す図である。
【図２】スイッチ設定テーブルを示す図である。
【図３】２線−４線変換部の回路構成を示す図である。
【図４】ファクシミリ装置の制御動作を示すフローチャートである。
【図５】異なる周波数のトーン信号におけるアナログスイッチの設定番号と検出レベル値との関係を示す図である。
【図６】電話装置および公衆電話回線にＡＤＳＬが適用された場合のシステムの一例を示す図である。
【符号の説明】
１    ファクシミリ装置（電話装置）
２    スプリッタ
１１    ＣＰＵ
１８    モデム
３１    ２線−４線変換部
３２    マイクロフォン
３３    スピーカ
３５    トーン信号発信部
３６    トーン信号検出部
４５    インピーダンス整合回路
Ｌ    公衆電話回線
【図１】
2004221802.tif 000003
【図２】
2004221802.tif 000004
【図３】
2004221802.tif 000005
【図４】
2004221802.tif 000006
【図５】
2004221802.tif 000007
【図６】
2004221802.tif 000008